(57)【特許請求の範囲】
【請求項１】
接眼筒と、
前記接眼筒に着脱可能なアイカップと、
前記アイカップ内に設けられ、かつ前記接眼筒内を通過する光を調整する通過光調整部材とを備えたテレビジョンカメラのビューファインダ。
【請求項２】
請求項１に記載のテレビジョンカメラのビューファインダであって、
前記アイカップは、前記通過光調整部材の外周に弾力的に嵌着して保持する保持部を有しており、
前記通過光調整部材を、前記保持部を介して前記アイカップに設けることを特徴とするテレビジョンカメラのビューファインダ。
【請求項３】
請求項２に記載のテレビジョンカメラのビューファインダであって、
前記通過光調整部材の外周に弾性材からなる環状体を弾力的に嵌着し、通過光調整部材を前記環状体とともに前記保持部に保持すること特徴とするテレビジョンカメラのビューファインダ。
【請求項４】
請求項２または３に記載のテレビジョンカメラのビューファインダであって、
光軸方向に沿った複数段の前記保持部を、前記アイカップに設けることを特徴とするテレビジョンカメラのビューファインダ。
【請求項５】
請求項２ないし４のいずれかに記載のテレビジョンカメラのビューファインダであって、
前記アイカップは、前記接眼筒の端部の外周に設けられたフランジもしくは突起に弾力的に嵌着するものであることを特徴とするテレビジョンカメラのビューファインダ。
【請求項６】
請求項５に記載のテレビジョンカメラのビューファインダであって、
前記接眼筒の端部に取り付けられる環状の取り付け金具を備え、
前記取り付け金具に、前記アイカップの取り付け基部が弾力的に嵌着するフランジもしくは突起を設けることを特徴とするテレビジョンカメラのビューファインダ。
【請求項７】
請求項１ないし６のいずれかに記載のテレビジョンカメラのビューファインダであって、
前記通過光調整部材は、光学的フィルタ部材または付加レンズであることを特徴とするテレビジョンカメラのビューファインダ。
【発明の詳細な説明】
【０００１】
【発明の属する技術分野】
本発明は、テレビジョンカメラのビューファインダに係り、詳しくは、接眼筒の端部に設けられるアイカップに、光学的フィルタ部材等の通過光調整部材を取り付ける構造に関する。
【０００２】
【従来の技術】
テレビジョンカメラのビューファインダでは通常、接眼筒であるレンズ筒の端部にアイカップと通過光調整部材とが取り付けられる。
【０００３】
アイカップは、撮影者の顔面を接眼筒に密着させるとともに撮影者の眼に外光が入らないことをひとつの主たる目的にして設けられている。また、通過光調整部材としては光学的フィルタ部材や付加レンズ（例えば、視度補正レンズ）があり、これらは、撮影画像を見やすくするほか、接眼レンズの汚れや損傷を防止することを主たる目的にして設けられている。
【０００４】
このようなアイカップと通過光調整部材とを含むビューファインダでは、従来、図５に示すような構造により、レンズ筒２１にアイカップ２２と通過光調整部材２３とを取り付けるようにしている。
【０００５】
すなわち、レンズ筒２１の接眼端部の内周には雌ネジ部２４が形成される一方、通過光調整部材２３の枠には、レンズ筒２１の雌ネジ部２４に対応する雄ネジ部２５が形成されており、通過光調整部材２３はネジの螺合により、レンズ筒２１の開口端に取り付けられる。
【０００６】
また、アイカップ２２は、全体がゴムのような弾性材からなるもので、その一端にはレンズ筒２１の接眼端部に対応した形状の取り付け基部２６が形成されており、弾力を利用してこの取り付け基部２６をレンズ筒２１に嵌め付けることで、レンズ筒２１に取り付けられる。このアイカップ２２により、通過光調整部材２３の外周が覆われるとともに、通過光調整部材２３自体がレンズ筒２１の開口端に押し付けられる。
【０００７】
【発明が解決しようとする課題】
ところで、上記のようなビューファインダを有するテレビジョンカメラにおいては、接眼レンズ２７の表面や通過光調整部材２３の内面に付いた曇りや埃等の汚れを取り除いたり、撮影の状況に応じて通過光調整部材２３を取り換えたりするために、度々通過光調整部材２３の取り付け、取り外しをする必要が生じる。
【０００８】
そのような場合、従来のビューファインダでは、通過光調整部材２３をネジのように回して着脱しなければならず、その操作が面倒であるばかりか、まず、通過光調整部材２３の外側にあるアイカップ２２を取り外してから、通過光調整部材２３を取り外す必要があり、常にアイカップ２２と通過光調整部材２３とを各別に着脱するという二度手間となるので、扱いにくいものであった。
【０００９】
また、従来のものでは、上記のように、掃除や通過光調整部材２３の取り換えの毎に、アイカップ２２と通過光調整部材２３とを別々に取り外すから、単体となった通過光調整部材２３を取り落として傷つけたり、見失ったりすることがあり、この意味でも扱いにくいものであった。
【００１０】
本発明は、上記従来の問題点に鑑み、アイカップと通過光調整部材とを接眼筒に対してワンタッチで着脱ができるようにして、掃除や通過光調整部材の取り換えの作業を容易にするとともに、着脱途中の通過光調整部材の損傷を防止し、使い勝手を良好にすることを課題とする。
【００１１】
【課題を解決するための手段】
本発明は、上記課題を達成するために、接眼筒に、接眼筒内を通過する光を調整する通過光調整部材と、接眼筒に嵌着するアイカップとを設けてなるテレビジョンカメラのビューファインダであって、前記通過光調整部材を前記アイカップに脱着自在に設けることに特徴がある。
【００１２】
なお、通過光調整部材としては、光学的フィルタ部材や付加レンズ（例えば、視度補正レンズ）が一例として挙げられるが、それ以外のものでもよいのはいうまでもない。
【００１３】
【発明の実施の形態】
請求項１記載の発明に係るテレビジョンカメラのビューファインダは、接眼筒と、前記接眼筒に着脱可能なアイカップと、前記アイカップ内に設けられ、かつ前記接眼筒内を通過する光を調整する通過光調整部材とを備えたことに特徴がある。
【００１４】
この請求項１の発明の構成によれば、通過光調整部材はアイカップに保持され、この通過光調整部材とアイカップとは、接眼筒に対して一体的にワンタッチで着脱ができ、扱いが容易になる。また、通過光調整部材は接眼筒から取り外した状態でも、アイカップの一部に保持されて保護されることになるので、損傷が防止される。
【００１５】
請求項２記載の発明に係るテレビジョンカメラのビューファインダは、請求項１に記載のテレビジョンカメラのビューファインダであって、前記アイカップは、前記通過光調整部材の外周に弾力的に嵌着して保持する保持部を有しており、前記通過光調整部材を、前記保持部を介して前記アイカップに設けることを特徴とする。
【００１６】
この請求項２の発明の構成によれば、通過光調整部材はアイカップに保持され、この通過光調整部材とアイカップとは、接眼筒に対して一体的にワンタッチで着脱ができ、扱いが容易になる。また、通過光調整部材は接眼筒から取り外した状態でも、アイカップの一部に保持されて保護されることになるので、損傷が防止される。
【００１７】
請求項２のビューファインダにおいて、アイカップ全体を同一の弾性材で構成してもよい。
【００１９】
また、通過光調整部材については、請求項３の発明のように、通過光調整部材の外周に弾性材からなる環状体を弾力的に嵌着し、通過光調整部材をこの環状体とともにアイカップの保持部に保持するようにしてもよい。
【００２０】
請求項３の発明の構成によれば、小径の通過光調整部材や、外周部の形状が若干異なる通過光調整部材も保持部に保持させることができ、使用可能な通過光調整部材の種類が増えるほか、通過光調整部材は環状体と保持部との二重の弾性材で保持されるので、通過光調整部材の保持がより確実になる。
【００２１】
さらに、上記の各発明において、保持部はアイカップに一段あればよいが、請求項４の発明のように、光軸方向に沿って複数段設けてもよい。
【００２２】
保持部が複数段、例えば２段あれば、通過光に対して別々の調整作用を及ぼす複数の通過光調整部材を重ねて装着することができる。さらに、その複数段の保持部の間で径や保持厚さ等が互いに異なるようにすれば、装着できる通過光調整部材の種類が一層増加する。
【００２３】
アイカップについては、請求項５の発明のように、接眼筒の端部の外周に設けられたフランジもしくは突起に弾力的に嵌着する構造とすることが望ましい。こうすれば、接眼筒へのアイカップの結合が強固になるほか、接眼筒の端部の周りがアイカップにより隙間なく遮蔽されるから、接眼筒内部への埃の侵入が効果的に防止される。
【００２４】
この場合、請求項６の発明のように、接眼筒の端部に取り付けられる環状の取り付け金具を備え、この取り付け金具には、アイカップの取り付け基部が弾力的に嵌着するフランジもしくは突起が設けられている構成としてもよい。
【００２５】
なお、通過光調整部材としては、請求項７に記載したように、光学的フィルタ部材または付加レンズをその例として挙げることができる。
【００２６】
（１）第１の実施形態
本発明の実施の形態を図に基づいて詳細に説明すると、図１は、本発明の第１の実施形態に係るテレビジョンカメラのビューファインダの断面図で、一部を分解して示している。
【００２７】
図１において、符号１は接眼筒であるレンズ筒、２はアイカップ、３は通過光調整部材である。通過光調整部材３は、レンズ筒１内を通過する光を調整する部材であって、例えば、光学的フィルタ部材や付加レンズ（視度補正レンズ等）が挙げられる。
【００２８】
レンズ筒１の接眼端部には、内部に接眼レンズ４が設けられ、外周にフランジ５が形成されている。
【００２９】
アイカップ２は、全体がゴムのような弾性材からなり、その一端（図において上端）には、撮影者の眼の周りに当てつけるための外延部６が形成され、他端には、レンズ筒１への取り付け基部７が形成されている。この取り付け基部７は、それ自体の弾力によりレンズ筒１の接眼端部に嵌着するもので、この実施形態では、レンズ筒１のフランジ５の部分に外周側から嵌着するよう、フランジ５の断面形状に応じて、断面が内向きコ字となる形に形成されている。
【００３０】
そして、このアイカップ２の外延部６と取り付け基部７との間の筒状部分に、通過光調整部材３の保持部８がリング状に形成されている。この保持部８は、通過光調整部材３の外周部に弾力的に嵌着して通過光調整部材３を保持する部分で、アイカップ２の他の部分と連続している。
【００３１】
通過光調整部材３は、調整部材本体３ａの周りにリング状の枠３ｂを取り付けたものである。
【００３２】
上記の構成において、通過光調整部材３をレンズ筒１に取り付けたり、取り外したりする場合、まず、通過光調整部材３をアイカップ２の保持部８の内側に押し込むことで、アイカップ２に装着しておく。保持部８は、通過光調整部材３の押し込み力に対し弾力的に変形して通過光調整部材３を受け入れ、通過光調整部材３を保持する。このように、アイカップ２の一部には通過光調整部材３が装着されるから、以後、アイカップ２は通過光調整部材３と一体のものとしてレンズ筒１に取り付け取り外しすればよい。
【００３３】
次いで、この通過光調整部材３が装着されたアイカップ２の取り付け基部７を、それ自体の弾力を利用して、レンズ筒１の接眼端部に嵌め付けることで、取り付け基部７をレンズ筒１のフランジ５の外周部に嵌着し、これで、アイカップ２をレンズ筒１に取り付けるとともに、通過光調整部材をレンズ筒１の開口の前面に取り付ける。
【００３４】
一方、アイカップ２と通過光調整部材３とを含むビューファインダの内部の掃除を行う場合、例えば接眼レンズ４の表面や通過光調整部材３の内面に付着した水滴、曇り、埃等を取り除く場合は、レンズ筒１に対してアイカップ２を強く引っ張ればよい。アイカップ２にかかる引っ張り力により、取り付け基部７が弾性変形してレンズ筒１の接眼端部から外れ、アイカップ２の全体が通過光調整部材３とともにレンズ筒１から分離する。これで、通過光調整部材３の内面や接眼レンズ４の表面が外部に露呈し、掃除が可能になる。
【００３５】
このように、レンズ筒１に対して通過光調整部材３の取り付け取り外しをする場合は、通過光調整部材３が装着されたアイカップ２を、その弾性を利用してレンズ筒１に嵌め付けたり引き抜いたりすればよく、ねじ回すような面倒な操作が不要で、ワンタッチの操作で着脱ができる。
【００３６】
また、通過光調整部材３はレンズ筒１から取り外された状態でも、アイカップ２に保持され、その周囲がアイカップ１の弾性材で保護されているので、落とされて損傷するおそれがない。
【００３７】
さらに、アイカップ２の保持部８は、弾力的に通過光調整部材３を保持するものであるから、その保持の大きさ、保持の形状にかなりの幅があり、そのため、径の異なる通過光調整部材や、外周部の形状の異なる通過光調整部材等、各種の通過光調整部材を保持部８に保持させて、レンズ筒１に取り付けることができる。
【００３８】
このほか、通過光調整部材３はアイカップ２の一部に保持されるのであって、従来のビューファインダにおけるようにレンズ筒の開口端に嵌め込まれるものでないから、通過光調整部材３の径をレンズ筒１より小径にする必要がなく、そのため、通過光調整部材３によりレンズ筒１の開口面積を狭く絞らずに済む。
【００３９】
（２）他の実施形態
上記第１の実施形態において、アイカップ２は全体が同一の弾性材からなるが、図２に示すように、一部を異質の弾性材で成形してもよい。
【００４０】
図２は、第２の実施形態に係るテレビジョンカメラのビューファインダのアイカップ部分の断面図である。この実施形態では、アイカップ２の各部分のうち、通過光調整部材３の外周部に接する断面が内向きコ字形となる部分９を、アイカップ２の他の部分より硬質の弾性材で成形している。
【００４１】
この構成によれば、保持部８は、内側に硬質の部分９があることで、アイカップ２の他の部分より変形しにくくなり、アイカップ２をレンズ筒１に着脱する際、取り付け基部７が大きく変形しても、保持部８が大きく変形することはなく、そのため、通過光調整部材３は確実に保持され、脱落するおそれがない。
【００４２】
次に、図３に基づいて第３の実施形態を説明すると、図３は、第３の実施形態に係るテレビジョンカメラのビューファインダのアイカップ部分の断面図である。
【００４３】
前記の各実施形態において、アイカップ２の保持部８には、通常、通過光調整部材３が部材を介さずに直接的に嵌め付けられるが、保持部８と通過光調整部材３との間に部材を介在させてもよく、第３の実施形態では、通過光調整部材３の外周に弾性材からなる環状体１０が弾力的に嵌着され、この環状体１０付きの通過光調整部材３が保持部８に保持される。
【００４４】
この構成によれば、保持部８の内径に比して小径の通過光調整部材３や、外周部の形状が若干異なる通過光調整部材３も保持部８に保持させることができ、使用可能な通過光調整部材３の種類が増える利点がある。また、通過光調整部材３は環状体１０と保持部８との二重の弾性材で保持されるので、通過光調整部材３の保持がより確実になる。
【００４５】
また、図４は、第４の実施形態に係るテレビジョンカメラのビューファインダのアイカップ部分の断面図で、同図に基づいて第４の実施形態を説明すると、次の通りである。
【００４６】
前記の各実施形態において、保持部８はアイカップ２に一段あればよいが、この保持部８は、光軸方向に沿って複数段設けてもよく、図４に示す第４の実施形態では、保持部８は、外延部６と取り付け基部７との間の筒状部分に２段にわたって形成されている。
【００４７】
このように保持部８が２段あれば、図示のように、一方に光学的フィルタ部材等の通過光調整部材３を、他方に付加レンズ等の通過光調整部材１１をそれぞれ保持させて、レンズ筒１の開口前面に通過光に対して別々の調整作用を及ぼす複数の通過光調整部材３、１１を重ねて装着することが可能になる。さらに、その２段の保持部８，８の間で内径や保持厚さ等が互いに異なるようにすれば、装着できる通過光調整部材の種類がさらに増加する。
【００４８】
上記各実施形態では、接眼筒であるレンズ筒１の接眼端部の外周にフランジ５を設け、アイカップ２の取り付け基部７は、そのフランジ５部分に対応する形状としたが、レンズ筒１の端部および取り付け基部７の形状、構造はこれに限定されるものではない。
【００４９】
たとえば、レンズ筒１の接眼端部の外周を平滑にし、アイカップ２の取り付け基部７を、この平滑な外周部に外周側から嵌着する形にしてもよいし、接眼端部を内外両側から挟み込むように嵌着する形にしてもよい。
【００５０】
また、レンズ筒１の接眼端部については、その外周に突起を形成して、この突起にアイカップ２の取り付け基部７が嵌着するようにしてもよい。さらには、前記のようなフランジ５もしくは突起を外周に有するリング状の取り付け金具を別に用意して、この取り付け金具をレンズ筒１の接眼端部に取り付けるようにしてもよい。
【００５１】
なお、上述した各実施形態では、通過光調整部材として、光学的フィルタ部材や付加レンズ（例えば、視度補正レンズ）を一例として挙げたが、それ以外の通過光通過光部材でもよいのはいうまでもない。
【００５２】
【発明の効果】
本発明によれば、通過光調整部材はアイカップの一部に保持されるから、接眼レンズの曇り除去のような内部の掃除を行う場合、アイカップと通過光調整部材とは一体のものとしてワンタッチで接眼筒に対して着脱することが可能で、面倒な操作をせずに内部の掃除や通過光調整部材の取り換えができる。
【００５４】
さらに、通過光調整部材の取り付けのために既存のアイカップを利用するから、取り付けのために別の部材を必要とせず、部品点数が少なくて済む。
【００５５】
このほか、アイカップの保持部には、保持の大きさ、保持の形状に弾力的にかなりの幅があるので、径の異なる通過光調整部材や、外周部の形状の異なる通過光調整部材も保持させることができ、使用可能な通過光調整部材が増えるほか、通過光調整部材は、従来のビューファインダにおけるように接眼筒の開口端に嵌め込まれるものでないから、接眼筒に対し大径にすることが可能で、そのため通過光調整部材によりレンズ筒の開口面積を狭く絞らずに済む。
【図面の簡単な説明】
【図１】本発明の第１の実施形態に係るテレビジョンカメラのビューファインダの断面図で、一部分解して示している。
【図２】本発明の第２の実施形態に係るテレビジョンカメラのビューファインダのアイカップ部分の断面図。
【図３】本発明の第３の実施形態に係るテレビジョンカメラのビューファインダのアイカップ部分の断面図。
【図４】本発明の第４の実施形態に係るテレビジョンカメラのビューファインダのアイカップ部分の断面図。
【図５】従来のテレビジョンカメラのビューファインダの断面図で、各部を分解して示している。
【符号の説明】
１  レンズ筒（接眼筒）  ２  アイカップ      ３  通過光調整部材
６  外延部              ７  取り付け基部    ８  保持部
【図１】
0003547652.tif 000002
【図２】
0003547652.tif 000003
【図３】
0003547652.tif 000004
【図４】
0003547652.tif 000005
【図５】
0003547652.tif 000006